【事件の表示】
　特許第３３７５９８５号「画像記録装置」の請求項１ないし４に係る特許に対する特許異議の申立てについて、次のとおり決定する。
【結　論】
　訂正を認める。
　特許第３３７５９８５号の請求項１ないし２に係る特許を維持する。
【理　由】
１．手続の経緯
　本件特許第３３７５９８５号の請求項１及び２に係る発明についての出願は、平成４年６月１０日に特許出願され、平成１４年１１月２９日にその特許権の設定の登録がなされ、その特許について、中石幸明より特許異議の申し立てがなされ、取消理由通知がなされ、その指定期間内である平成１６年５月２７日に訂正請求（後日取り下げ）がなされ、その後、再度の取消理由通知がなされ、その指定期間内の平成１６年９月１５日に訂正請求がなされたものである。
　　　
２．訂正の適否
（１）訂正の内容
　特許権者の求めている訂正の内容は、以下のとおりである（訂正箇所にアンダーラインを付した。）。
　ア．訂正事項ア
　特許請求の範囲の
「【請求項１】 記録紙を給紙する給紙手段と、
　感光体上に光ビームを走査して潜像を形成し、該感光体上の潜像を現像して記録紙に転写し、該記録紙上のトナー像を定着させる画像記録手段と、
　当該画像形成装置がスタンバイ状態にあるときに画像記録開始指示を受けた場合、その画像記録開始指示に基づいて前記画像記録手段における電子写真プロセスの準備動作を開始してから所定時間後に前記給紙手段による給紙を開始させる制御手段と、
　前記画像記録手段の画像記録モードに応じて前記所定時間を可変制御する手段とを有することを特徴とする画像記録装置。
【請求項２】 前記画像形成モードは、形成すべき画像の記録密度に関するものであることを特徴とする請求項１記載の画像記録装置。
【請求項３】 光ビームを走査する走査手段を有し、前記制御手段は、前記走査手段の起動開始から前記所定時間後に前記給紙手段による給紙を開始させることを特徴とする請求項１記載の画像記録装置。
【請求項４】 感光体上に光ビームを走査して潜像を形成し、該感光体上の潜像を現像して記録紙に転写し、該記録紙上のトナー像を定着させる画像記録部を有する画像記録装置の制御方法であって、
　当該画像形成装置がスタンバイ状態にあるときに画像記録開始指示を受けた場合、その画像記録開始指示に基づいて前記画像記録部における電子写真プロセスの準備動作を開始するステップと、
　前記画像記録部における電子写真プロセスの準備動作を開始してから所定時間後に記録紙の給紙を開始させる給紙ステップを有し、
　前記画像記録部の画像記録モードに応じて前記所定時間を可変制御するステップを設けたことを特徴とする画像記録装置の制御方法。」
を、
「【請求項１】 記録紙を給紙する給紙手段と、
　
スキャナモータを駆動することにより
　
画像記録
　前記画像記録
装置
し、
　
前記可変制御する手段は、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御
【請求項
２
スキャナモータを駆動することにより
　
画像記録
　前記画像記録部における電子写真プロセスの準備動作を開始してから所定時間後に記録紙の給紙を開始させる給紙ステップを有し、
　前記画像記録
装置
、
　
前記可変制御するステップでは、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御する
と訂正する。
　イ．訂正事項イ      
　段落【０００５】を、
　「【課題を解決するための手段】本発明の画像記録装置は、記録紙を給紙する給紙手段と、
スキャナモータを駆動することにより
画像記録
装置
し、前記可変制御する手段は、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御
スキャナモータを駆動することにより
画像記録
装置
、前記可変制御するステップでは、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御する
と訂正する。
　　　　
（２）訂正の目的の適否、新規事項の有無及び拡張・変更の存否
　上記訂正事項アに関して、願書に添付した明細書及び図面（以下、「特許明細書等」という。）には、「画像記録装置がスタンバイ状態の時に、外部装置２からＰＲＮＴ信号１０を受け取ってから、ＶＳＲＥＱ信号１１を返信するまでの間に、画像記録装置は、前述した様に、メインモータ４の立上げ、スキャナモータ６の立ち上げ、レーザ光量の調整、感光ドラム１０４の電位の均一化、転写ローラ１０５のクリーニング、カット紙１１０をレジストローラ１０３の位置まで搬送を行う。図３に上記動作のタイミングチャートを示した。図３（Ａ）は低密度記録（例えば２４０ｄｐｉ）の場合を示し、まずスキャナＯＮ信号１７からスキャナレディ信号１８が返送されるまでをタイムＡ１とする。タイムＡ１は低い走査線密度に対応する値である。スキャナレディ信号１８が返送されてからレーザ光量の調整に要する時間をタイムＢとする。感光ドラム１０４の電位の均一化及び転写ローラ１０５のクリーニングに要する時間をタイムＣとする。給紙に要する時間をタイムＤとする。タイムＤは、カット紙１１０の先端からレジストローラ１０３までの距離を給紙ローラ８の搬送スピードで割った時間である。タイムＢ、タイムＣ、タイムＤは一定時間となる。」（段落【００１６】〜【００１９】参照。）及び「スキャナＯＮからスキャナがレディーになるのに要する時間は、一般的に走査線密度が高い程長い時間必要となる。走査線密度毎のスキャナＯＮからスキャナレディになるのに要する最少時間を各走査線密度のタイムＡ値とする。図５のフローチャートを用いてさらに詳細に説明する。ステップ５０１にて外部装置２からＰＲＮＴ信号１０が送信されるのを監視する。ＣＰＵ１はＰＲＮＴ信号１０を受信すると、ステップ５０２にて走査線密度を読み取る。走査線密度が２４０ｄｐｉの場合は、ステップ５０３にて、走査線密度が２４０ｄｐｉの時のスキャナ立ち上り時間（所定時間Ａ１１）をタイムＡとする。走査線密度が２４０ｄｐｉ以外の場合は、ステップ５０４にて３００ｄｐｉかどうかチェックし、３００ｄｐｉの場合はステップ５０５にて所定時間Ａ１２をタイムＡとする。走査線密度が３００ｄｐｉでない場合は４００ｄｐｉとみなしステップ５０６にて所定時間Ａ１３をタイムＡにセットする。ステップ５０７にて、タイムＡとタイムＢ（レーザー光量調整に要する時間）をたしたものとタイムＣ（高圧制御に要する時間）を比較し、タイムＡ＋タイムＢがタイムＣ以下の場合はステップ５０８にて、後述のメインモータがレディとなってから給紙を開始するまでのタイマのタイマー値にタイムＣ−タイムＤ（給紙に要する時間）をセットする。タイムＡ＋タイムＢがタイムＣより長い場合は、ステップ５０９にて、タイマー値にタイムＡ＋タイムＢ−タイムＤをセットする。」（段落【００２６】〜【００３１】参照）が、図示（図３，５）と共に記載されているから、上記訂正事項アは、特許明細書等に記載された事項の範囲内においてなされたものといえる。
　そして、上記訂正事項アは、訂正目的からみて、以下の訂正事項を含んでいる。
　訂正事項ａ
　特許請求の範囲の減縮を目的として、請求項２及び３を削除し、それに伴い元の請求項４を繰り上げて請求項２とする。
　訂正事項ｂ
　特許請求の範囲の減縮を目的として、請求項１の「画像記録手段」及び請求項４（新請求項２）の「画像記録部」が、スキャナモータを駆動することにより感光体上に光ビームを走査するものであると限定する。
　訂正事項ｃ
　特許請求の範囲の減縮を目的として、請求項１の「所定時間を可変制御する手段」及び請求項４（新請求項２）の「所定時間を可変制御するステップ」が、「スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御する」ものであると限定する。
　訂正事項ｄ
　誤記の訂正を目的として、請求項１及び請求項４（新請求項２）それぞれにおける「画像形成装置がスタンバイ状態」を「画像記録装置がスタンバイ状態」と訂正する。
　訂正事項ｅ
　誤記の訂正を目的として、請求項１の「画像記録手段の記録モード」及び請求項４（新請求項２）の「画像記録部の記録モード」を、「画像記録装置の記録モード」と訂正する。
　してみると、上記訂正事項アは、特許請求の範囲の減縮及び誤記の訂正を目的として、特許明細書等に記載されていた範囲内で、特許請求の範囲の請求項１及び請求項４（新請求項２）において、「画像記録手段」、「所定時間を可変制御する手段」、「画像記録部」及び「所定時間を可変制御するステップ」の各構成を限定すると共に特許請求の範囲における誤記を訂正したものである。
　ゆえに、上記訂正事項アは、特許請求の範囲の減縮及び誤記の訂正を目的とするものである。
　また、上記訂正事項イは、上記訂正事項アに伴い、特許請求の範囲の記載との整合を図るための、発明の詳細な説明の記載を訂正したものであるから、明りょうでない記載の釈明を目的とするものである。
　さらに、上記訂正事項ア及びイは、いずれも、実質的に特許請求の範囲を拡張変更するものでない。
　　
（３）むすび
  以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　　　　
３．特許異議の申し立ての概要
  申立人中石幸明は、証拠として、甲第１号証（特開平１−２７６１６７号公報）及び、甲第２号証（特開昭６１−１２６５７３号公報）を提出し、本件請求項１乃至４に係る発明は、甲第１号証及び甲第２号証に記載された発明に基づいて当業者が容易に発明をすることができたものであるから特許法第２９条第２項の規定により特許を受けることができない旨の主張（主張Ａ）をすると共に、本件特許出願は、明細書の記載が不備で、特許法第３６条第５項に規定する要件を満たしていない旨の主張（主張Ｂ）をしている。
　
４．判断
（１）主張Ａについて
　ア．本件発明
　本件請求項１及び２に係る発明（以下、「本件発明１及び２」という。）は、訂正明細書の特許請求の範囲の請求項１及び２に記載されたとおりのものである（上記、２．（１）ア．参照。）。       
　イ．甲各号証に記載された発明
　申立人の提出した上記甲各号証には、本件発明１及び２に関連する事項として、以下のような事項が記載されている。
　ａ．甲第１号証
　ａ−１
「レ−ザビ−ムプリンタのポリゴンミラ−を回転させるモ−タ（以下スキヤナモ−タと称す）は、駆動開始後所定の回転数に達するまでに、約１０数秒の時間を要している。しかも必要とする回転数が高くなればなる程、その回転数に達するまでの時間（立上り時間）が増加する傾向にある。」（１頁右下欄１０〜１６行）
　ａ−２
「感光ドラム１上には、入力情報に応じて結像走査されたレ−ザ光により、静電潜像が形成される。この潜像は、現像器９においてトナ−により顕画化された後、カセツト１０，１１のいずれかに収納されている記録材に転写される。これが定着器１２を通過することにより、像は記録材に定着され不図示の排出部に排出される。」（２頁左下欄１７行〜右下欄３行）
　ａ−３
「第５図は本実施例のプリンタにおいて、スキヤナモ−タ５（第２図１０２）が停止することなく連続回転するときの印刷タイミングを示すタイミングチヤ−トである。・・・プリント信号ａが出力されると、・・・給紙信号ｂ、又モ−タドライバ１０１へ・・・スキヤナモ−タＯＮ信号ｅを出力する（タイミングＴ１）。これにより、ｔ秒後にスキヤナモ−タ５はレデイとなる。更に、これよりｔ１後に・・・ビデオ同期信号を出力することにより、・・・ビデオデ−タを受信して印刷が開始される。この時間ｔ１は、レデイ動作後の例えばレ−ザ光調整のための待機時間であり、・・・ビデオ同期信号Ｃは記録紙がこのレジスタロ−ラに到達したことを制御部１００が検知して・・・出力される。・・・スキヤナモ−タ５が所定の回転数になるまでの時間・・・ｔ＋ｔ１秒を考慮して給紙信号ｂを出力するタイミングを変化させることにより、装置の記録動作開始を早くすることができる。第６図は不用の時はスキヤナモ−タ５を静止させる様に制御する場合の印刷タイミングを示すタイミングチヤ−トである。第５図と同様に、プリント信号ａが・・・出力されると、・・・スキヤナモ−タＯＮ信号ｅをモ−タドライバ１０１に出力してスキヤナモ−タ５の回転を開始する。ｔ２はスキヤナモ−タ５の静止状態から定速回転までの立上り時間を示し、・・・給紙信号ｂを出力するまでの時間Ｔｗは、ｔ２−ｔ＝１２−１．７＝１０．３秒となる。本実施例ではこの給紙信号ｂを給紙部１１０に出力してからビデオ同期信号Ｃをコントロ−ラ１０７へ出力するまでの時間ｔ＋ｔ１は一定であるため、このＴｗ（１０．３秒）をスキヤナモ−タ５の駆動停止後の回転状態に対応させて変更することにより、スル−ブツトの向上を計るものである。」（３頁右上欄８行〜４頁左上欄３行）
　ａ−４
　第５図及び６図から、スキャナモータＯＮｅが高レベルとなる時点からスキャナモータレディｆが高レベルになる時点までの時間がｔ（第５図）からｔ２（第６図）に変わっても、給紙信号ｂが高レベルとなる時点から、スキャナモータレディｆが高レベルとなる時点、ビデオ同期信号ｃが高レベルとなる時点、あるいは、ビデオデータの受信開始時点までの時間が一定となるように、給紙信号ｂが高レベルとなる時点を、Ｔｗ（第６図）だけ遅くすること、すなわち、給紙動作の開始タイミングをなるべく遅いタイミングにすることが看取できる。
　ｂ．甲第２号証
　ｂ−１
「継目で巡回的に結合された感光体と、該感光体を巡回的に走行させ、該感光体に画像光を露光して潜像を形成し、該潜像を顕像化して記録媒体に転写し、該画像光に応じた可視画像を該記録媒体に記録する記録手段とを有する画像記録装置において、該装置は、前記記録手段の転写を行なう位置まで前記記録媒体を給送する複数の記録媒体給送手段と、前記感光体における所定の位置を検出する位置検出手段と、前記複数の記録媒体給送手段を選択的に駆動して前記記録手段を制御し、これによって前記可視画像の記録を該記録手段に行なわせる制御手段とを有し、該制御手段は、前記選択された記録媒体給送手段に応じて、前記検出された所定の位置に対する潜像の形成範囲の位置を調整するように該選択された記録媒体給送手段を制御することを特徴とする画像記録装置。」（特許請求の範囲の請求項１）
　ｂ−２
「本発明によればこのように、給紙搬送距離の長い用紙収容部に収容されている用紙や、用紙の走行方向の長さが短い用紙が選択されたときは、その給紙タイミングを調整して感光体における画像記録開始位置を送らせるようにしている。したがって、前の記録工程とこれに続く新たな記録工程との間のプリント要求受付可能な期間が長くなり、連続的に効率よく記録動作を行なうことができる。したがつて継目を有する感光体を使用した画像記録装置において、複数種類の記録媒体を使用可能でしかも高い効率で記録動作を行なうことができる。」（５頁左下欄下５行〜右下欄７行）
　ウ．対比・判断
　本件発明１と上記甲各号証に記載された発明とを対比すると、
　上記甲各号証のいずれにも、本件発明１の構成要件である、
「可変制御する手段は、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御する」点
について、記載も示唆もされておらず、また、該点は、当該技術分野において、周知のことでもない。
　因みに、甲第１号証と甲第２号証には、記録紙を給紙する給紙手段と、スキャナモータを駆動することにより感光体上に光ビームを走査して潜像を形成し、該感光体上の潜像を現像して記録紙に転写し、該記録紙上のトナー像を定着させる画像記録手段と、画像記録装置がスタンバイ状態にあるときに画像記録開始指示を受けた場合、その画像記録開始指示に基づいて前記画像記録手段における電子写真プロセスの準備動作を開始してから所定時間後に前記給紙手段による給紙を開始させる制御手段と、前記所定時間を可変制御する手段とを有する画像記録装置が記載され、甲第１号証には、さらに、前記可変制御する手段は、給紙動作の開始タイミングをなるべく遅いタイミングにするように、前記所定時間を可変制御する画像記録装置が記載されているといえるものの、上記点については、甲第１号証及び甲第２号証のいずれにも記載も示唆もない。
　したがって、本件発明１は、上記甲第１号証または甲第２号証に記載された発明と同一といえないばかりでなく、これらに記載された発明から当業者が容易に発明をすることができたものともいえない。
  次に、本件発明２と上記甲各号証に記載された発明とを対比すると、
　上記甲各号証のいずれにも、本件発明２の構成要件である、
「可変制御するステップでは、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御する」点
について、記載も示唆もされておらず、また、該点は、当該技術分野において、周知のことでもない。
　したがって、本件発明２も、上記甲第１号証または甲第２号証に記載された発明と同一といえないばかりでなく、これらに記載された発明から当業者が容易に発明をすることができたものともいえない。
　ゆえに、主張Ａは採用できない。
　　
（２）主張Ｂについて
  申立人は、本件特許明細書が記載不備である理由として、以下の旨の主張をしている。
　本件請求項１及び４にそれぞれにおける所定時間及びその可変制御手段の態様は、文脈上、それぞれ「準備動作」及び「画像記録モード」の各意味内容如何によって、大きくそれぞれの規定される意味内容が変わるものであるのに、「準備動作」及び「画像記録モード」の記載だけでは、その意味するものの範囲が明確でなく、結果として、上記所定時間及びその可変制御態様が発明の詳細な説明に記載したものでないものを含むこととなるから、特許請求の範囲の記載は、特許を受けようとする発明が発明の詳細な説明に記載したものでなく、また、特許受けようとする発明の構成に欠くことができない事項のみを記載したものでもない。
　しかし、上記訂正で、所定時間及びその可変制御態様のそれぞれの意味内容は、「準備動作」及び「画像記録モード」のみによって規定されるのではなく、発明の詳細な説明に記載されていた、スキャナの立ち上り時間Ａ、スキャナレディ後に光ビームの光量調整に要する時間Ｂ、前記感光体の電位の均一化を含む高圧制御に要する時間Ｃ、給紙すべき記録紙の先端からレジストローラまでの距離を搬送スピードで割った時間Ｄ及びその大小関係により規定されるようになり、明確になっている（上記、２．（１）ア．参照。）。
　したがって、申立人が主張する本件特許明細書に関する上記記載不備は、解消されている。
　ゆえに、主張Ｂも採用することができない。
　　
５．むすび
　以上のとおりであるから、特許異議申し立ての理由及び証拠方法によっては、本件請求項１及び２に係る発明についての特許を取り消すことができない。
　また、他に本件請求項１及び２に係る発明についての特許を取り消すべき理由を発見しない。
　したがって、本件請求項１及び２に係る発明についての特許は、拒絶の査定をしなければならない特許出願に対してされたものと認めない。
　よって、結論のとおり決定する。
【異議決定日】
平成１６年９月２７日（２００４．９．２７）
【訂正の要旨】
審決（決定）の【理由】欄参照。
（５４）【発明の名称】
画像記録装置
（５７）【特許請求の範囲】
　【請求項１】　記録紙を給紙する給紙手段と、
　
スキャナモータを駆動することにより
　
画像記録
　前記画像記録
装置
し、
　
前記可変制御する手段は、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御
　【請求項
２
スキャナモータを駆動することにより
　
画像記録
　前記画像記録部における電子写真プロセスの準備動作を開始してから所定時間後に記録紙の給紙を開始させる給紙ステップを有し、
　前記画像記録
装置
、
　
前記可変制御するステップでは、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御する
【発明の詳細な説明】
　【０００１】
　【産業上の利用分野】
　本発明は画像記録装置等の給紙に関するものである。
　【０００２】
　【従来の技術】
　従来、画像記録装置等における給紙を開始するタイミングは図１３のタイミングチャートで示されるように、スタンバイ時にプリント動作の開始を指示する信号（ＰＲＮＴ信号）がｔｒｕｅになると、画像記録装置は、メインモータを駆動した後に、メインモータがＲｅａｄｙであることが確認できると直ちに給紙を開始する。
　【０００３】
　又、連続プリント中においては、前頁の副走査方向の画像書込みをマスクするタイミングで直ちに次の紙の給紙を開始していた。
　【０００４】
　【発明が解決しようとする課題】
　しかしながら、上記従来例では、給紙を開始するタイミングが必要以上に早い為、ユーザーがＰＲＮＴ信号を一端ｔｒｕｅにした後に、ＰＲＮＴ信号をｆａｌｓｅにしてプリントキャンセルを行っても、既に紙が給紙動作に入っていたり、給紙が完了している場合があり、一端給紙された紙は、前記プリントキャンセルによって画像記録装置の外へ排紙されてしまい、紙の無駄が生じる。
　【０００５】
　【課題を解決するための手段】
　本発明の画像記録装置は、記録紙を給紙する給紙手段と、
スキャナモータを駆動することにより
画像記録
装置
し、前記可変制御する手段は、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御
スキャナモータを駆動することにより
画像記録
装置
、前記可変制御するステップでは、スキャナの立ち上り時間をＡ、スキャナレディ後に光ビームの光量調整に要する時間をＢ、前記感光体の電位の均一化を含む高圧制御に要する時間をＣ、給紙すべき記録紙の先端からレジストローラまでの距離を搬送スピードで割った時間をＤと表記したとき、Ａ＋ＢがＣより長い場合は前記スキャナの立ち上げ及び前記高圧制御を開始してからＡ＋Ｂ−Ｄの経過時に給紙が開始されるように、またＡ＋ＢがＣ以下である場合は前記スキャナの立ち上げ及び前記高圧制御を開始してからＣ−Ｄの経過時に給紙が開始されるように、前記所定時間を可変制御する
　【０００６】
　【実施例】
　図１及び図２は本発明の第１の実施例を示し、図１は本発明の特徴を最もよく表わす図面であり、同図に於いて１はＲＯＭ内蔵のワンチップマイクロコンピュータ（ＣＰＵ）、２はビデオコントローラやホストコンピュータ等の外部装置、３はメインモータ制御部、４はメインモータ、５はスキャナモータ制御部、６はスキャナモータ、７は定着部、８は給紙ローラ、９はカセットサイズ検知部、１０はＰＲＮＴ信号、１１は垂直同期信号を要求する信号（ＶＳＲＥＱ信号）、１２は垂直同期信号（ＶＳＹＮＣ信号）、１３はコマンド／ステータス信号、１４は高圧制御部、１５はモータＯＮ信号、１６はモータレディ信号、１７はスキャナＯＮ信号、１８はスキャナレディ信号、１９はヒータＯＮ信号、２０はヒータ温度信号、２１は給紙ローラＯＮ信号、２２は走査線密度指定信号線である。
　【０００７】
　図２は、本実施例を用いた画像記録装置の概略図であり、１０１は筐体、１０３はレジストローラ、１０４は感光ドラム、１０５は転写ローラ、１０６は定着ローラ、１０７は加圧ローラ、１０９は反射ミラー、１１０はカット紙、１１１はカセット、１１２は排紙トレイ、１１３はインターフェースケーブルである。
　【０００８】
　図１と図２を用いて画像記録装置の概略の動作を説明する。
　【０００９】
　外部装置よりＰＲＮＴ信号１０を受信するとＣＰＵ１は、モータＯＮ信号１５を、メインモータ制御部３へ送出する。これを受けたメインモータ制御部３はメインモータ４を駆動させる。メインモータが所定の回転数に達すると、メインモータ制御部３はモータレディ信号１６をＣＰＵ１に返す。
　【００１０】
　その後ＣＰＵ１はスキャナＯＮ信号１７を、スキャナモータ制御部５へ送り、スキャナモータ制御部５はスキャナモータ６を駆動させる。スキャナモータ６が所定の回転数に達すると、スキャナモータ制御部５はスキャナレディ信号１８をＣＰＵ１に返す。スキャナがレディになった後、レーザ光量の調整を行う。ＣＰＵ１はヒータＯＮ信号１９を、定着部７へ送り、定着ローラ１０６内のヒータ（不図示）をＯＮして、定着ローラ１０６をプリント温度に上昇させる。定着ローラ１０６上にセットさせたサーミスタ１１５により、定着ローラ１０６の温度を読み取り、定着部７はヒータ温度信号２０（アナログ信号）に定着ローラの表面温度をセットしＣＰＵ１へ返す。ＣＰＵ１はこの温度をプリント温度（スタンバイ時にはスタンバイ温度）に保つ様に、ヒータＯＮ信号１９をＯＮ／ＯＦＦすることによって調整する。
　【００１１】
　ＣＰＵ１は、感光ドラム１０４の電位を均一化と、転写ローラ１０５のクリーニングを高圧制御部１４に行なわせる。
　【００１２】
　ＣＰＵ１は給紙ローラ８を駆動してカセット１１１内のカット紙１１０をレジストローラ１０３の位置まで搬送する。
　【００１３】
　前述のスキャナレディ、高圧の制御、給紙が全て完了した際に、ＣＰＵ１は外部装置２に対してＶＳＲＥＱ信号１１を送り外部装置２からのＶＳＹＮＣ信号１２を待つ。ＶＳＹＮＣ信号１２が送られてくると、レジストローラ１０３を駆動させる。
　【００１４】
　レジストローラ１０３により搬送されたカット紙１１０に、外部装置２からのＶＩＤＥＯ信号（不図示）によりレーザ装置１２０からレーザ光を発光させ、レーザ光がスキャナモータ６、反射ミラー１０９により感光ドラム１０４上に照射され感光ドラム１０４と転写ローラ１０５によって画像が転写される。
　【００１５】
　その後カット紙１１０は定着ローラ１０６と加圧ローラ１０７により定着され排紙ローラ１１４によって、排紙トレイ１１２上に排紙される。
　【００１６】
　画像記録装置がスタンバイ状態の時に、外部装置２からＰＲＮＴ信号１０を受け取ってから、ＶＳＲＥＱ信号１１を返信するまでの間に、画像記録装置は、前述した様に、メインモータ４の立上げ、スキャナモータ６の立ち上げ、レーザ光量の調整、感光ドラム１０４の電位の均一化、転写ローラ１０５のクリーニング、カット紙１１０をレジストローラ１０３の位置まで搬送を行う。
　【００１７】
　図３に上記動作のタイミングチャートを示した。
　【００１８】
　図３（Ａ）は低密度記録（例えば２４０ｄｐｉ）の場合を示し、まずスキャナＯＮ信号１７からスキャナレディ信号１８が返送されるまでをタイムＡ１とする。タイムＡ１は低い走査線密度に対応する値である。スキャナレディ信号１８が返送されてからレーザ光量の調整に要する時間をタイムＢとする。感光ドラム１０４の電位の均一化及び転写ローラ１０５のクリーニングに要する時間をタイムＣとする。給紙に要する時間をタイムＤとする。タイムＤは、カット紙１１０の先端からレジストローラ１０３までの距離を給紙ローラ８の搬送スピードで割った時間である。
　【００１９】
　タイムＢ、タイムＣ、タイムＤは一定時間となる。
　【００２０】
　図３（Ｂ）は、高密度記録の場合（例えば４００ｄｐｉ）を示し、スキャナＯＮからスキャナレディまでの時間がタイムタイムＡ２となり、高圧制御に要する時間Ｃよりも長く要し、ＶＳＲＥＱを送出できるのがＴ２のタイミングになる。
　【００２１】
　スキャナＯＮからスキャナレディまでの時間は、走査線密度により異なる。
　【００２２】
　走査線密度の指定は、８ビットシリアル信号を伝送するコマンド／ステータス信号１３を介して、外部装置２からＣＰＵ１へ送信される。
　【００２３】
　図４は走査線密度の指定コマンドの例を示したものである。走査線密度の指定コマンドは、２バイト（１バイト＝８ビット）で構成されている。１バイト目は走査線密度の変更を依頼するオペレータで（図４（１））、２バイト目は変更する走査線密度を８ビットのうち７ｔｈビットをＬＳＢとした６ビットで表わすオペランドである（図４（２））。
　【００２４】
　すなわちこのオペランドはＢｉｔ０からＢｉｔ５の６ビットの走査線密度コードで表わされ、走査線密度コードと走査線密度の関係の一例は図４（３）内に示される。
　【００２５】
　外部装置２から送信される走査線密度コード６ビットをスキャナモータ駆動部５へ走査線密度指定信号線２２を介して送出することにより行なう。
　【００２６】
　スキャナＯＮからスキャナがレディーになるのに要する時間は、一般的に走査線密度が高い程長い時間必要となる。走査線密度毎のスキャナＯＮからスキャナレディになるのに要する最少時間を各走査線密度のタイムＡ値とする。
　【００２７】
　図５のフローチャートを用いてさらに詳細に説明する。
　【００２８】
　ステップ５０１にて外部装置２からＰＲＮＴ信号１０が送信されるのを監視する。ＣＰＵ１はＰＲＮＴ信号１０を受信すると、ステップ５０２にて走査線密度を読み取る。走査線密度が２４０ｄｐｉの場合は、ステップ５０３にて、走査線密度が２４０ｄｐｉの時のスキャナ立ち上り時間（所定時間Ａ１１）をタイムＡとする。
　【００２９】
　走査線密度が２４０ｄｐｉ以外の場合は、ステップ５０４にて３００ｄｐｉかどうかチェックし、３００ｄｐｉの場合はステップ５０５にて所定時間Ａ１２をタイムＡとする。
　【００３０】
　走査線密度が３００ｄｐｉでない場合は４００ｄｐｉとみなしステップ５０６にて所定時間Ａ１３をタイムＡにセットする。
　【００３１】
　ステップ５０７にて、タイムＡとタイムＢ（レーザー光量調整に要する時間）をたしたものとタイムＣ（高圧制御に要する時間）を比較し、タイムＡ＋タイムＢがタイムＣ以下の場合はステップ５０８にて、後述のメインモータがレディとなってから給紙を開始するまでのタイマのタイマー値にタイムＣ−タイムＤ（給紙に要する時間）をセットする。タイムＡ＋タイムＢがタイムＣより長い場合は、ステップ５０９にて、タイマー値にタイムＡ＋タイムＢ−タイムＤをセットする。
　【００３２】
　ステップ５１０にてメインモータレディを監視しメインモータレディになったらステップ５１１にてスキャナＯＮ、高圧制御を開始する。
　【００３３】
　ステップ５１２にて前述タイマーをスタートさせる。ステップ５１３でタイマーの終了を待って給紙を開始し、その後給紙完了、高圧制御完了したらステップ５１５にてプリント動作に入る。
　【００３４】
　前述はスタンバイからＰＲＮＴ信号１０を受け取った時の給紙タイミングについて記述したが、次に連続プリント中の給紙タイミングについて記述する。
　【００３５】
　連続プリント中の給紙は、前頁の画像書込み領域をマスクするタイミング以降で尚かつ、最大のスループットが得られるタイミングで行なう。
　【００３６】
　画像書込み領域のマスク解除開始は外部装置２から送信されるＶＳＹＮＣ信号１２に同期させ、紙の先端から２ｍｍである。又、マスクタイミングは、紙の後端２ｍｍである。
　【００３７】
　マスク解除している時間は、ＣＰＵ１がカセット１１１に隣接して取付けられた紙サイズ検知部９よりセットされている紙サイズを読み取り、紙サイズから前記先端２ｍｍ、後端２ｍｍを引いた長さを画像記録装置のプロセススピードで割った時間となる。
　【００３８】
　図６に紙サイズ検知部の詳細を示した。
　【００３９】
　カセット１１１に取り付けられた突起物４０４によって、紙サイズ検知部９上に取り付けられたスイッチ４０１、４０２，４０３をオン／オフすることで、セットされた紙サイズが検知できる。
　【００４０】
　突起物４０４の位置を変えることや、複数個用いることで種々の紙サイズ設定が可能になる。スイッチ４０１，４０２，４０３のオン，オフ状態と、それにより決定される紙サイズの関係の一例を図７に示す。図６の例ではスイッチ４０３がオンされておりスイッチ４０１と４０２はオフの状態にあり、紙サイズはＡ４となる。
　【００４１】
　図８のフローチャートと図９のタイムチャートを使って詳細に説明する。
　【００４２】
　図９中のタイムＥは連続プリント中の紙間の時間で、最大のスループットを保つためには後述タイムＧを定められた時間にしなくてはいけない。タイムＦは、ＶＳＹＮＣ信号１１を受信してからマスクを解除するまでの時間で、レジストローラ１０３から転写ローラ１０５のニップ中央位置までの距離と、レーザーを感光ドラム１０４に照射する位置と転写ローラ１０５のニップ中央位置までの差により求められる一定の値である。タイムＧはＶＳＲＥＱ信号１１を送信してからＶＳＹＮＣ信号１２を受信するまでの時間である。この値が長いと紙間の時間が長くなり最大のスループットを保てなくなる。最大のスループットを保つためには外部装置２はＣＰＵ１からＶＳＲＥＱ信号１１を受信したら、直ちに（例１０ｍｓｅｃ）ＶＳＹＮＣ信号１２を送信しなくてはいけない。
　【００４３】
　タイムＨは前頁の画像書込みマスク開始からＶＳＲＥＱ信号１２を送信するまでの時間で、ＣＰＵ１はこの間に次の紙の給紙を完了させておかなければいけない。
　【００４４】
　図８のフローチャートは連続プリント中のＣＰＵ１の制御を記述したものである。ステップ８０１ではタイマー１の完了を監視する。タイマー１はマスク解除時間を設定したものである。タイマー１が完了するとステップ８１４にて画像書込み領域をマスクする。ステップ８０２にてＰＲＮＴ信号１０がｔｒｕｅかチェックする。ｆａｌｓｅの場合はそのまま終了しスタンバイへ移行する。ｔｒｕｅの場合は、ステップ８０３にて紙サイズを読み込み、ステップ８０４にて紙サイズとプロセススピードから計算したマスク解除時間をタイマー１のカウント値に設定する。
　【００４５】
　ステップ８０５にてタイムＨ−タイムＤをタイマー２のカウント値に設定しタイマー２をスタートさせる。これによりマスクがセットされてから給紙を開始するまでのディレイ時間が設定できる。ステップ８０６にてタイマー２の完了を待って、ステップ８０７で給紙を行なう。給紙完了後、ステップ８０８にてＶＳＲＥＱ信号１１を外部装置２へ送信する。ステップ８０９で外部装置２からＶＳＹＮＣ信号１２の返信を監視し、ＶＳＹＮＣ信号１２を受信すると、ステップ８１０でタイマＦをタイマー３のカウント値にセットしタイマー３をスタートさせる。ステップ８１１でタイマー３の完了を待って、ステップ８１２でマスク解除し、ステップ８１３で先にセットしたカウント値によりタイマー１をスタートさせる。その後は次の紙の為にステップ８０１へ戻り、前述内容を繰返す。
　【００４６】
　（他の実施例）
　実施例では、各紙サイズ毎に個別にスループットが設定されている場合を述べたが、ここでは、紙サイズの種類によってスループットを特定の紙サイズと合せている場合について述べる。
　【００４７】
　例えば紙サイズＡ６のスループットをＡ４のスループットに合せている場合を図１０のフローチャートと図１１のタイムチャートを用いて説明する。
　【００４８】
　まず図１１のタイムチャートのタイムＩは、Ａ６のマスクをセットするタイミングから、Ａ４のマスクをセットするタイミングまでの差である。この時間は前述カセットサイズ検知部９よりＡ６サイズを検知し、Ａ４サイズとの差をプロセススピードで割った値となる。
　【００４９】
　実際の動作は図１０のフローチャートにて説明する。
　【００５０】
　ステップ８０１にてタイマー１が完了したかチェックする。これは、Ａ６の紙サイズから計算したマスクをセットするタイミングである。タイマー１が完了するとステップ８１４にてマスクをセットする。次にステップ８１５にて、先程計算したタイムＩをタイマー４のタイマ値としてタイマー４をスタートさせ、ステップ８１６にてタイマー４の完了を待つ、タイマー４が完了した後の処理は、前述説明した通りなので省略する。
　【００５１】
　前記実施例においては通常のプリント動作の場合について説明したが、図１２の様なプレフィード機能（ＰＲＮＴ信号がｆａｌｓｅの状態の時に、ＶＳＹＮＣ信号をｔｒｕｅにすることで先行給紙を行う）を用いた場合にも同様で、プレフィード要求により給紙可能となるタイミングから、ＶＳＲＥＱを送出できるタイミングまでをタイムＨ、給紙に要する時間をタイムＤとすれば、実際に給紙を開始するタイミングは、画像書き込みマスクをセットするタイミングからタイムＨ〜タイムＤの時間経過してから給紙を開始させる。
　【００５２】
　以上説明したように、走査線密度の違いによる、ＰＮＴ信号を受信してからＶＳＲＥＱ信号送信までの時間と、給紙に要する時間を考慮して、ＰＲＮＴ信号を受信してからなるべく遅く給紙を開始したり、紙間の時間と給紙に要する時間を考慮して、ＰＲＮＴ信号が維持されている時においても、給紙を開始する時間を遅くすることで、プリントキャンセル発生時の自動排紙により紙が排紙されるということが減り、無駄な紙がなくなるという効果がある。
　【発明の効果】
　本発明によれば、画像形成手段が画像形成可能な状態になるまでに要する時間が、各画像形成モード毎に異なる点を考慮して、給紙動作の開始タイミングを、画像形成モードに応じた、なるべく遅いタイミングにすることにより、スループットを低下させずに給紙開始後の画像形成キャンセル発生によって無駄な排紙動作が生じることをなるべく抑えることができる。
【図面の簡単な説明】
　【図１】
　本発明が適用される画像記録装置の概略構成を示すブロック図、
　【図２】
　本発明が適用される画像記録装置の断面図、
　【図３】
　本発明における動作タイミングチャート、
　【図４】
　本発明における走査線密度指定コマンドを説明するための図、
　【図５】
　実施例の動作を説明するためのフローチャート、
　【図６】
　実施例における紙サイズ検知を説明するための図、
　【図７】
　実施例におけるスイッチ４０１〜４０３の状態と紙サイズの関係を示す図、
　【図８】
　実施例の動作を説明するためのフローチャート、
　【図９】
　実施例の動作を説明するためのタイミングチャート、
　【図１０】
　第２実施例の動作を説明するためのフローチャート、
　【図１１】
　第２の実施例の動作を説明するためのタイミングチャート、
　【図１２】
　第３の実施例の動作を説明するためのタイミングチャート、
　【図１３】
　従来の給紙タイミングを説明するためのタイミングチャート。
　【符号の説明】
　１　ＣＰＵ
　２　外部装置
　３　メインモータ制御部
　４　メインモータ
　５　スキャナモータ制御部
　６　スキャナモータ
　７　定着部
　８　給紙ローラ
　９　カセットサイズ検知部
　１０　ＰＲＮＴ信号
　１１　ＶＳＲＥＱ信号
　１２　ＶＳＹＮＣ信号
　１３　コマンド／ステータス信号
　１４　高圧制御部
　１５　モータＯＮ信号
　１６　モータレディ信号
　１７　スキャナＯＮ信号
　１８　スキャナレディ信号
　１９　ヒータＯＮ信号
　２０　ヒータ温度信号
　２１　給紙ローラＯＮ信号
　２２　走査線密度指定信号線